(57)【要約】【課題】  書き戻しにより高品位な画像を維持して短い遷移時間でつなぎ記録を行う。【解決手段】  制御部４０により記録信号処理部１０、記録再生部２０及び再生信号処理部３０の動作を制御して、つなぎ記録を行うにあたり、記録状態から記録待機状態に遷移する際に、上記下地で残すべき最終ブロックのデータを上記メモリ５０に格納してつなぎ記録可能な記録待機状態とし、上記記録待機状態から停止状態に遷移する際に、つなぎ記録可能である状態を保持しつつ停止状態になり、このつなぎ記録可能な停止状態から記録を開始する場合、下地読み動作を行わずに、上記メモリ５０から下地で残すべき最終ブロックのデータを読み出してつなぎ記録を行う。【選択図】        図１
2007157263.tif 000002
【特許請求の範囲】
【請求項１】
下地で残すべき最終ブロックを記憶し、つなぎ記録するデータをその下地データの有効データの最終部分以降につなぎ合わせた新たなブロックを作り、この新たなブロックを、下地で残すべき最終ブロックに上書きすることによりつなぎ記録を行う記録再生装置であって、
上記下地で残すべき最終ブロックのデータを格納する記憶手段と、
上記記憶手段に対するデータの書き込み／読み出し制御を行う制御手段とを備え、
上記制御手段は、つなぎ記録可能な記録待機状態から停止状態になる際に、つなぎ記録可能である状態を保持しつつ停止状態になり、このつなぎ記録可能な停止状態から記録を開始する場合、下地読み動作を行わずに、上記記憶手段から下地で残すべき最終ブロックのデータを読み出してつなぎ記録を行うことを特徴とする記録再生装置。
【請求項２】
上記制御手段は、記録状態から記録待機状態に遷移する際に、上記下地で残すべき最終ブロックのデータを上記記憶手段に格納してつなぎ記録可能な記録待機状態とし、上記記録待機状態から停止状態に遷移する際に、つなぎ記録可能である状態を保持しつつ停止状態になり、このつなぎ記録可能な停止状態から記録を開始する場合、下地読み動作を行わずに、上記記憶手段から下地で残すべき最終ブロックのデータを読み出してつなぎ記録を行うことを特徴とする請求項１記載の記録再生装置。
【請求項３】
上記制御手段は、再生状態から停止状態に遷移する際に、上記下地で残すべき最終ブロックのデータを上記記憶手段に格納してつなぎ記録可能な状態を保持しつつ停止状態になり、このつなぎ記録可能な停止状態から記録を開始する場合、下地読み動作を行わずに、上記記憶手段から下地で残すべき最終ブロックのデータを読み出してつなぎ記録を行うことを特徴とする請求項１記載の記録再生装置。
【請求項４】
下地で残すべき最終ブロックを記憶し、つなぎ記録するデータをその下地データの有効データの最終部分以降につなぎ合わせた新たなブロックを作り、この新たなブロックを、下地で残すべき最終ブロックに上書きすることによりつなぎ記録を行うつなぎ記録方法であって、
つなぎ記録可能な記録待機状態から停止状態になる際に、つなぎ記録可能である状態を保持しつつ停止状態になり、このつなぎ記録可能な停止状態から記録を開始する場合、下地読み動作を行わずに、上記記憶手段から下地で残すべき最終ブロックのデータを読み出してつなぎ記録を行うことを特徴とするつなぎ記録方法。
【請求項５】
記録状態から記録待機状態に遷移する際に、上記下地で残すべき最終ブロックのデータを格納してつなぎ記録可能な記録待機状態とし、上記記録待機状態から停止状態に遷移する際に、つなぎ記録可能である状態を保持しつつ停止状態になり、このつなぎ記録可能な停止状態から記録を開始する場合、下地読み動作を行わずに、上記格納された下地で残すべき最終ブロックのデータを読み出してつなぎ記録を行うことを特徴とする請求項４記載のつなぎ記録方法。
【請求項６】
再生状態から停止状態に遷移する際に、上記下地で残すべき最終ブロックのデータを格納してつなぎ記録可能な状態を保持しつつ停止状態になり、このつなぎ記録可能な停止状態から記録を開始する場合、下地読み動作を行わずに、上記格納された下地で残すべき最終ブロックのデータを読み出してつなぎ記録を行うことを特徴とする請求項４記載のつなぎ記録方法。
【発明の詳細な説明】
【技術分野】
【０００１】
本発明は、デジタルデータの記録再生装置に関し、特に、つなぎ記録機能を備える記録再生装置及びつなぎ記録方法に関する。
【背景技術】
【０００２】
回転ヘッドによってテープ状記録媒体にデジタルデータを記録し、また、記録媒体から回転ヘッドによりこのデジタルデータを再生する民生用のデジタル磁気記録再生装置では、１フレームを複数のトラックに分割して記録するセグメント記録方式が採用されており、１フレームを構成する複数のトラックの情報を全て再生されないと再生画像を出力することができないので、再生された情報をメモリに順次蓄積して１フレーム分の情報が揃った時点で再生画像を出力するようにしている（例えば、特許文献１参照）。
【０００３】
また、画像データや音声データを圧縮して記録媒体に記録するための高能率の圧縮方式として、例えば、ＭＰＥＧ（Moving Picture Expert Group）方式が知られている。
【０００４】
ＭＰＥＧ方式では、データ量を圧縮するにあたって、その映像フレームのデータだけで独立して符号化するフレーム内符号化画像（Ｉピクチャ）、前方向のフレームの情報を元に符号化するフレーム間順方向予測符号化画像（Ｐピクチャ）、前方向と後方向のフレームを元に符号化する双方向予測符号化画像（Ｂピクチャ）という３種類の画像圧縮手法を使って、効率的にデータ量を削減している。
【０００５】
また、民生用のデジタル磁気記録再生装置における再生方式として、再生ヘッドが記録トラックの中心を通るように、記録されたトラックの再生情報を用いてテープ走行方向にトラッキングサーボをかけて、再生ヘッドで１トラックを１スキャンして再生データを得るトラッキング再生方式と、狭トラック対応のために再生時にトラッキングをかけるのではなく、１トラックのデータを２回以上スキャンして、正しいほうのデータをメモリに取っておき、データがそろった時点で、復号することで正しいデータを得るノントラッキング再生方式が知られている。
【０００６】
また、デジタル画像データを高能率符号化してテープ記録でつなぎ記録をする際に、下地で残すべき最終ブロックを読み込み、下地の有効データの最終部分に、新たに記録するデータをつなげて、新たなブロックを作り、この新たなブロックをテープに書き戻すことにより、つなぎ部での画フリーズや音途切れを少なくしたり、記録開始部分の画質を低下させないようにすることが行われている。
【０００７】
例えば、特許文献２にはＭＰＥＧ２方式で、入力バッファの破綻のないつなぎ撮りを容易に行うための技術が開示されている。具体的には、つなぎ記録で下地で残す最後の画に相当するＶＢＶディレイ量（ｖｂｖ＿ｄｅｌａｙ＿ｎ）をテープ下地に記録しておく。再生時にテープからその値を読み出し、新しくつなぎ記録する画像符号化器のＶＢＶバッファ初期値として設定する。すると、ＶＢＶバッファのオーバーフロー、アンダーフローの破綻のないつなぎ記録を行える。
【０００８】
特許文献３には、記録待機状態での消費電力を削減しつつ記録開始の待ち時間を短縮する技術が開示されている。具体的には、ピンチローラをキャプスタンモータ軸に圧着したままドラムモータを止める。すると、消費電力を削減できるし、ピンチを圧着したままなので、テープ位置がずれない。このため、次の記録を素早くできる。しかし、ピンチローラを圧着したままなので、テープに圧着力がかかったままなので、長時間放置すると寝押しが生じる可能性がある。
【０００９】
特許文献４には、画像遅延メモリを使用することにより、記録開始待ち時間が短縮でき、さらにメモリ容量を増やせば記録開始以前の画も記録することができることが開示されている。しかし、メモリを使用する必要があるのでコストアップや消費電力が増加する。
【００１０】
しかしながら、トラッキング再生方式を採用した従来の民生用デジタル磁気記録再生装置では、トラッキングをかけていない状態、例えば停止状態から再生を開始したときに、トラッキングがかかるまでには、最大２００ｍsecから３００ｍsec程度の時間が必要である。このため、上述の如きつなぎ記録を行うために、下地データを正しく得たいときには、読みたい下地がある場所からある程度手前のテープ位置から再生をスタートし、トラッキングをかけた状態で下地データを読む必要がある。
【００１１】
また、磁気テープの順方向走行、逆方向走行の走行方向を変える時には、メカデッキのメカポジションを変える必要があったり、メカデッキにもよるが、逆方向走行から順方向走行になったときには、少しテープ走行させないとテープパスが安定しないため、少し多めにリバース走行させておく必要があるなど、メカ遷移にはある程度の時間がかかってしまう。
【００１２】
さらに、本件出願人が先に提案している品質の良好なつなぎ記録を短い待ち時間で行うことができる磁気記録再生装置では、つなぎ記録動作の遷移時間の短縮のため、下地読みの方法について以下の３通りの方法のうちから適宜２種類以上の方式を選択することにより、
“自分でテープに記録したデータを使用する方法”
“下地からＸ１で読み出す方法”
“下地から倍密度スキャンにて読み出す方法”
例えば下地読みをする必要がないので、Ｒｅｃ⇒ＲｅｃＰ⇒Ｒｅｃの遷移が素早くなるという利点がある（例えば、特許文献５参照）。
【００１３】
【特許文献１】特許第３１２５４７９号公報
【特許文献２】特開２００４−４８１０２号公報
【特許文献３】特開平７−２２５９８８号公報
【特許文献４】特開平６−３２６９５５号公報
【特許文献５】特開２００５−１８２９５４号公報
【発明の開示】
【発明が解決しようとする課題】
【００１４】
ところで、従来より、記録待機状態での消費電力削減やテープダメージ削減のため、記録待機状態にて一定時間、例えば５分が経過すると、機器を停止状態にすることが行われている。機器を停止状態にするというのは、具体的には、ドラムモータの停止、キャプスタンモータの停止、ピンチローラの圧着の解除、不要部分の回路動作の停止などである。
【００１５】
しかしながら、記録待機状態から、停止状態へ遷移させると、ピンチローラをはずすため、テープ位置がずれてしまい、次の停止状態から記録待機状態への遷移で、記録待機時のテープ位置や記録開始の書き戻し位置がずれて分からなくなってしまうので、従来の下地の書き戻しを行うつなぎ記録方式では、記録待機状態から、一度機器を停止状態にした後、再度記録待機状態にすると再度下地を読み直している。
【００１６】
すなわち、図１４のフローチャートに動作手順を示すように、従来の手法によるつなぎ記録では、電源が投入されると、停止（ＳＴＯＰ）状態で待機しており（ステップＳ５１）、記録待機（ＲＥＣＰ）命令があると、下地読み動作を行ってから（ステップＳ５２）、記録待機（ＲＥＣＰ）状態に遷移する（ステップＳ５３）。
【００１７】
この記録待機（ＲＥＣＰ）状態において記録（ＲＥＣ）命令があると、下地の有無を判定し（ステップＳ５４）、下地がない場合には、下地に関係なく記録を開始し（ステップＳ５５）、また、下地がある場合には、読み出した下地につなげて記録を開始して、つなぎ記録を行い（ステップＳ５６）、記録動作（ＲＥＣ）状態に遷移する（ステップＳ５７）。
【００１８】
この記録動作（ＲＥＣ）状態において、記録待機（ＲＥＣＰ）命令があると、記録を終了して、記録待機（ＲＥＣＰ）の位置までテープを移動してから（ステップＳ５８）、記録待機（ＲＥＣＰ）状態に遷移する（ステップＳ５９）。
【００１９】
このステップＳ５９の記録待機（ＲＥＣＰ）状態において記録（ＲＥＣ）命令があると、上記ステップＳ５４に戻って下地の有無を判定する。また、上記記録待機（ＲＥＣＰ）状態において停止（ＳＴＯＰ）命令があると、停止（ＳＴＯＰ）の位置までテープを移動し、ドラムとピンチローラをオフして（ステップＳ６０）、上記ステップＳ５１の停止（ＳＴＯＰ）状態に遷移する。
【００２０】
したがって、従来の手法によるつなぎ記録では、例えば、図１５の（Ａ），（Ｂ）に示す記録待機（ＲＥＣＰ）状態から記録動作（ＲＥＣ）状態に遷移させる場合と比較して、図１５の（Ｃ），（Ｄ）に示すように、ＳＴＯＰ⇒ＲＥＣＰ⇒ＲＥＣ⇒ＲＥＣＰ⇒ＳＴＯＰ⇒ＲＥＣＰというように遷移させた場合には、停止（ＳＴＯＰ）から記録待機（ＲＥＣＰ）状態に遷移する際に必ず下地読みをするので、遷移時間がかかり、記録開始までの遷移時間が下地読みのために長くなってしまう問題があった。
【００２１】
ちなみにＤＶ記録再生方式では、つなぎ記録の際に下地の書き戻しは必要でなく、フレーム単位で新しい記録を下地につなげればよいため、下地に合わせて、１０トラック（ＮＴＳＣ）または１２トラック（ＰＡＬ）単位での記録を行えればよい。
【００２２】
この遷移時間を短縮するため、つなぎ記録を行わずに記録開始するという方法もあるが、つなぎ記録部が不連続になり、再生すると一瞬画が一時停止したり、一瞬音がミュートしてしまうという問題がある。
【００２３】
そこで、本発明の目的は、上述の如き従来の問題点に鑑み、品質の良好なつなぎ記録を短い待ち時間で行うことができる記録再生装置及びつなぎ記録方法を提供することにある。
【００２４】
本発明の更に他の目的、本発明によって得られる具体的な利点は、以下に説明される実施の形態の説明から一層明らかにされる。
【課題を解決するための手段】
【００２５】
本発明は、下地で残すべき最終ブロックを記憶し、つなぎ記録するデータをその下地データの有効データの最終部分以降につなぎ合わせた新たなブロックを作り、この新たなブロックを、下地で残すべき最終ブロックに上書きすることによりつなぎ記録を行う磁気記録再生装置であって、上記下地で残すべき最終ブロックのデータを格納する記憶手段と、上記記憶手段に対するデータの書き込み／読み出し制御を行う制御手段とを備え、上記制御手段は、つなぎ記録可能な記録待機状態から停止状態になる際に、つなぎ記録可能である状態を保持しつつ停止状態になり、このつなぎ記録可能な停止状態から記録を開始する場合、下地読み動作を行わずに、上記記憶手段から下地で残すべき最終ブロックのデータを読み出してつなぎ記録を行うことを特徴とする。
【００２６】
また、本発明は、下地で残すべき最終ブロックを記憶し、つなぎ記録するデータをその下地データの有効データの最終部分以降につなぎ合わせた新たなブロックを作り、この新たなブロックを、下地で残すべき最終ブロックに上書きすることによりつなぎ記録を行うつなぎ記録方法であって、つなぎ記録可能な記録待機状態から停止状態になる際に、つなぎ記録可能である状態を保持しつつ停止状態になり、このつなぎ記録可能な停止状態から記録を開始する場合、下地読み動作を行わずに、上記記憶手段から下地で残すべき最終ブロックのデータを読み出してつなぎ記録を行うことを特徴とする。
【００２７】
本発明では、例えば、記録状態から記録待機状態に遷移する際に、上記下地で残すべき最終ブロックのデータを上記記憶手段に格納してつなぎ記録可能な記録待機状態とし、上記記録待機状態から停止状態に遷移する際に、つなぎ記録可能である状態を保持しつつ停止状態になり、このつなぎ記録可能な停止状態から記録を開始する場合、下地読み動作を行わずに、上記記憶手段から下地で残すべき最終ブロックのデータを読み出してつなぎ記録を行う。
【００２８】
また、本発明では、例えば、再生状態から停止状態に遷移する際に、上記下地で残すべき最終ブロックのデータを上記記憶手段に格納してつなぎ記録可能な状態を保持しつつ停止状態になり、このつなぎ記録可能な停止状態から記録を開始する場合、下地読み動作を行わずに、上記記憶手段から下地で残すべき最終ブロックのデータを読み出してつなぎ記録を行う。
【発明の効果】
【００２９】
本発明では、つなぎ記録可能な記録待機状態から停止状態になる際に、つなぎ記録可能である状態を保持しつつ停止状態になり、このつなぎ記録可能な停止状態から記録を開始する場合、下地読み動作を行わずに、記憶手段から下地で残すべき最終ブロックのデータを読み出してつなぎ記録を行うことによって、書き戻しにより高品位な画像を維持して短い遷移時間でつなぎ記録を行うことができる。
【発明を実施するための最良の形態】
【００３０】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００３１】
本発明は、例えば図１に示すような構成の磁気記録再生装置１００に適用される。
【００３２】
この磁気記録再生装置１００は、カメラ一体型のビデオテープレコーダであって、カメラ１及びマイクロホン２が接続された記録信号処理部１０、この記録信号処理部１０から記録信号が供給される記録再生部２０、この記録再生部２０から再生信号が供給される再生信号処理部３０、これらを制御する制御部４０、上記記録信号処理部１０及び記録再生部２０に接続されたメモリ５０、上記制御部４０に接続された操作部６０などからなる。
【００３３】
ここで、この磁気記録再生装置１００では、ＥＣＣバンク６個分のメモリ５０をシステムで持ち、記録と再生で兼用している。
【００３４】
上記記録信号処理部１０は、上記カメラ１及びマイクロホン２からアナログビデオ信号及びアナログオーディオ信号が供給されるアナログ／デジタル（Ａ／Ｄ）変換器１１，１２、上記Ａ／Ｄ変換器１１，１２の出力が供給される符号化処理部１３，１４、上記符号化処理部１３，１４の出力が供給されるマルチプレクサ（ＭＵＸ）１５、上記ＭＵＸ１５に接続されたメモリ５０、このメモリ５０に接続されたエラー訂正（ＥＣＣ）処理部１６、このＥＣＣ処理部１６、上記メモリ５０に接続されたデジタル／アナログ（Ｄ／Ａ）変換器１７、このＤ／Ａ変換器１７の出力が供給される記録増幅器１８などからなる。また、上記ＭＵＸ１５の動作は、上記制御部４０により制御されるようになっている。
【００３５】
この記録信号処理部１０において、上記Ａ／Ｄ変換器１１，１２は、上記カメラ１及びマイクロホン２から供給されたアナログビデオ信号及びアナログオーディオ信号をデジタル化する。上記符号化処理部１３，１４は、上記Ａ／Ｄ変換器１１，１２によりデジタル化されたビデオデータ及びオーディオデータをＭＰＥＧ方式に従って符号化する。上記ＭＵＸ１５は、上記符号化処理部１３，１４により符号化された符号化ビデオデータ及び符号化オーディオデータからＭＰＥＧ方式に従ったデータストリームを生成してメモリ５０に供給する。
【００３６】
上記ＥＣＣ処理部１６は、上記ＭＵＸ１５からメモリ５０に供給されたデータストリームに対して所定のエラー訂正（ＥＣＣ）ブロック単位、例えば８トラック分を１ＥＣＣブロックとしてエラー訂正符号を生成して付加する。上記Ｄ／Ａ変換器１７は、上記ＥＣＣ処理部１６によりエラー訂正符号が付加されたデータストリームをメモリ５０から読み出してアナログ化して記録信号とする。
【００３７】
ここで、この磁気記録再生装置１００における記録定常動作中のあるタイミングにおけるメモリ５０上のデータの様子を図２に示す。記録定常動作中には、ＥＣＣバンク０〜５をリングバッファとして使用し、時間と共にアクセスアドレスは右に移動する。あるＥＣＣバンクに注目した時、まずＭＵＸ１５から記録用データが書き込まれ、次に上記ＥＣＣ処理部１６によりＣ２ＥＣＣパターン生成し、その後、記録データとして出力される。この図２はＥＣＣ処理部１６のＥＣＣバンク１のブロックから記録データが出力されているタイミングを示している。
【００３８】
そして、上記記録増幅器１８は、上記Ｄ／Ａ変換器１７によりアナログ化された記録信号を増幅して記録再生部２０に供給する。
【００３９】
また、上記記録再生部２０は、アジマスの異なる一対の磁気ヘッド２１Ａ，２１Ｂが１８０°対向で設けられた回転ドラム２２、この回転ドラム２２を回転させるドラムモータ２３、上記回転ドラム２２に巻装される磁気テープ２４を走行させるキャプスタンモータ２５などからなる。
【００４０】
上記ドラムモータ２３及びキャプスタンモータ２５は、上記制御部４０により回転方向や回転速度が制御される。
【００４１】
そして、上記一対の磁気ヘッド２１Ａ，２１Ｂは、磁気テープ２４上の傾斜トラックを走査して、上記記録信号処理部１０から供給される記録信号を上記記録トラックに記録する。また、上記一対の磁気ヘッド２１Ａ，２１Ｂは、磁気テープ２４上の傾斜トラックを走査することにより得られる再生信号を上記再生信号処理部３０に供給する。
【００４２】
上記再生信号処理部３０は、上記記録再生部２０から再生信号が供給される再生増幅器３１、この再生増幅器３１の出力が供給されるアナログ／デジタル（Ａ／Ｄ）変換器３２、このＡ／Ｄ変換器３２の出力がメモリ５０を介して供給されるエラー訂正（ＥＣＣ）処理部３３、このＥＣＣ処理部３３の出力がメモリ５０を介して供給されるデマルチプレクサ（ＤＥＭＵＸ）３４、このＤＥＭＵＸ３４の出力が供給される復号化処理部３５，３６、この復号化処理部３５，３６の出力が供給されるデジタル／アナログ（Ｄ／Ａ）変換器３７，３８などからなる。また、上記Ａ／Ｄ変換器３２及びＥＣＣ処理部３３及びＤＥＭＵＸ３４の動作は、上記制御部４０により制御されるようになっている。
【００４３】
この再生信号処理部３０において、上記再生増幅器３１は、上記記録再生部２０から供給された再生信号を増幅する。上記Ａ／Ｄ変換器３２は、上記再生増幅器３１により増幅された再生信号をデジタル化して再生データストリームとする。上記ＥＣＣ処理部３３は、上記Ａ／Ｄ変換器３２からメモリ５０に供給される再生データストリームにエラー訂正処理を施し、エラー情報やトラック番号情報などを上記制御部４０に供給するとともに、エラー訂正処理済みの再生データストリームをメモリ５０を介して上記ＤＥＭＵＸ３４に供給する。
【００４４】
ここで、この磁気記録再生装置１００における再生定常動作中のあるタイミングにおけるメモリデータの様子を図３に示す。この磁気記録再生装置１００では、再生定常動作中もあるバンクに注目すると、まずテープヘッド系から再生データがＥＣＣバンクメモリに書き込まれ、次にＥＣＣ処理部３３によりＣ２ＥＣＣ動作が行われ、その次にＤＥＭＵＸ３４へデータが送られる。
【００４５】
上記ＤＥＭＵＸ３４は、上記ＥＣＣ処理部３３によりエラー訂正処理の施された再生データストリームから再生符号化ビデオデータと再生符号化オーディオデータを分離して復号化処理部３５，３６に供給する。つなぎ記録時に、下地読みを行う場合にはエラー訂正済みの再生データの書き戻す最終データ部分をメモリ５０に保持するように制御する。上記復号化処理部３５，３６は、上記ＤＥＭＵＸ３４により分離された再生符号化ビデオデータと再生符号化オーディオデータにＭＰＥＧ方式に従って復号処理を施すことにより再生ビデオデータと再生オーディオデータを生成する。そして、上記Ｄ／Ａ変換器３７，３８は、上記復号化処理部３５，３６により復号された上記再生ビデオデータと再生オーディオデータをアナログ化して、再生アナログビデオ信号と再生アナログオーディオ信号を出力する。
【００４６】
このような構成の磁気記録再生装置１００において、上記制御部４０は、記録終了時に、記録再生部２０により磁気テープ２４に書き込んだ下地の最後の部分のデータを記録信号処理部１０のＭＵＸ１５を経由してメモリ５０に保存し、あるいは、記録再生部２０により磁気テープ２４から再生して得られた下地最終ブロックのデータをメモリ５０に保存しておく。
【００４７】
そして、上記制御部４０は、操作部６０に操作によりつなぎ記録動作が指定されると、上記メモリ５０に保存されている下地の最後のブロックの最後の有効データにつなげて、新しい記録を行う。下地の最後のブロックの最後の有効データは、書き戻される。
【００４８】
ここで、この磁気記録再生装置１００は、停止（ＳＴＯＰ）モード、記録待機（ＲＥＣＰ）モード、記録（ＲＥＣ）モード、再生（ＰＢ）モード、早送り（ＦＦ）モード、巻き戻し（ＲＥＷ）モードの６種類の動作モードをとり、図４に示すように各モード間で動作モードを遷移する。この例では、記録待機（ＲＥＣＰ）モードへは記録（ＲＥＣ）モード又は停止（ＳＴＯＰ）モードからしか遷移しない。
【００４９】
なお、停止（ＳＴＯＰ）モードでは、 ドラム停止、キャプスタン停止、ピンチローラｏｆｆとされ、不要な電源はオフされる。また、記録待機（ＲＥＣＰ）モードでは、ドラムＯｎ、ピンチローラＯｎ、キャプスタン停止とされ、記録開始ポイントの少し手前の位置ですぐに記録を開始できる状態となっている。なお、この例では、記録待機（ＲＥＣＰ）状態で、すでに、次の記録でつなぎ記録するか、しないは確定している。また、記録（ＲＥＣ）モードは、 記録している状態である。また、再生（ＰＢ）モードは、再生している状態である。また、早送り（ＦＦ）モードは、 テープの早送りを行う状態で、画は見えない。さらに、巻き戻し（ＲＥＷ）モードは、 テープの早戻しを行う状態で、画は見えない。
【００５０】
この磁気記録再生装置１００におけるモード遷移は、図５のフローチャートに示す手順に従って行われる。
【００５１】
すなわち、この磁気記録再生装置１００は、電源が投入されると、下地読み動作フラグ及び下地あり情報フラグを０としてから（ステップＳ１）、停止（ＳＴＯＰ）状態で待機する（ステップＳ２）しており、記録待機（ＲＥＣＰ）命令があると、下地読み動作を行っているか否かを下地読み動作フラグが１であるか否かにより判定する（ステップＳ３）。
【００５２】
このステップＳ３における判定結果がＮＯ、すなわち、下地読み動作フラグが０で、下地読み動作を行っていない場合には、下地読み動作を行い（ステップＳ４）、下地があるか否かを下地あり情報フラグが１であるか否かにより判定する（ステップＳ５）。
【００５３】
このステップＳ５における判定結果がＮＯ、すなわち、下地ある情報フラグが０で、下地がない場合には、記録待機（ＲＥＣＰ）の位置までテープを移動し（ステップＳ６）、下地読み動作フラグを１、下地あり情報フラグを０にするとともに、記録待機（ＲＥＣＰ）の位置を記憶してから（ステップＳ７）、記録待機（ＲＥＣＰ）状態に遷移する（ステップＳ１１）。
【００５４】
また、上記ステップＳ５における判定結果がＹＥＳ、すなわち、下地ある情報フラグが１で、下地がある場合には、記録待機（ＲＥＣＰ）の位置までテープを移動し（ステップＳ８）、下地読み動作フラグを１、下地あり情報フラグを１とするとともに、記録待機（ＲＥＣＰ）の位置を記憶してから（ステップＳ９）、記録待機（ＲＥＣＰ）状態に遷移する（ステップＳ１１）。
【００５５】
また、上記ステップＳ３における判定結果がＹＥＳ、すなわち、下地読み動作フラグが１で、下地読み動作を行っている場合には、先に記憶した記録待機（ＲＥＣＰ）の位置までテープを移動し（ステップＳ１０）、直ちに記録待機（ＲＥＣＰ）状態に遷移する（ステップＳ１１）。この場合、先に記憶した記録待機（ＲＥＣＰ）の位置はそのまま保持する。
【００５６】
そして、記録待機（ＲＥＣＰ）状態において記録（ＲＥＣ）命令があると、下地の有無を上記下地あり情報フラグが１であるか否かにより判定する（ステップＳ１２）。
【００５７】
このステップＳ１２における判定結果がＮＯ、すなわち、情報フラグが０で下地がない場合には、下地に関係なく記録を開始して（ステップＳ１３）、記録動作（ＲＥＣ）状態に遷移する（ステップＳ１５）。
【００５８】
また、上記ステップＳ１２における判定結果がＹＥＳ、すなわち、情報フラグが１で下地がある場合には、読み出した下地につなげて記録を開始して、つなぎ記録を行い（ステップＳ１４）、記録動作（ＲＥＣ）状態に遷移する（ステップＳ１５）。
【００５９】
この記録動作（ＲＥＣ）状態において、記録待機（ＰＥＣＰ）命令があると、記録を終了し、つなげる画として用いる記録の最後の画である下地最終ブロックのデータをメモリ５０に保持し続けるとともにつなぎ記録の開始位置を記憶して、記録待機（ＲＥＣＰ）の位置まで磁気テープを３倍速で巻き戻し（ステップＳ１６）、下地読み動作フラグを１、下地あり情報フラグを１にするとともに、記録待機（ＲＥＣＰ）の位置を記憶してから（ステップＳ１７）、記録待機（ＲＥＣＰ）状態に遷移する（ステップＳ１８）。このステップＳ１８の記録待機（ＲＥＣＰ）状態において記録（ＲＥＣ）命令があると、上記ステップＳ１２に戻って下地の有無を判定する。また、上記記録待機（ＲＥＣＰ）状態において停止（ＳＴＯＰ）命令があると、停止（ＳＴＯＰ）の位置までテープを移動し、ドラムＯＦＦ、ピンチローラＯＦＦにして（ステップＳ１９）、上記ステップＳ２の停止（ＳＴＯＰ）状態に遷移する。
【００６０】
また、上記ステップＳ２の停止（ＳＴＯＰ）状態において、早送り（ＦＦ）命令があると、下地読み動作フラグを０、下地あり情報フラグを０にして（ステップＳ２０）、テープの高速送りを開始して（ステップＳ２１）、早送り（ＦＦ）状態に遷移する（ステップＳ２２）。
【００６１】
この早送り（ＦＦ）状態において停止（ＳＴＯＰ）命令があると、テープ移動を止め、ドラムＯＦＦ、ピンチローラＯＦＦにして（ステップＳ２３）、上記ステップＳ２の停止（ＳＴＯＰ）状態に遷移する。
【００６２】
また、上記ステップＳ２の停止（ＳＴＯＰ）状態において、巻き戻し（ＲＥＷ）命令があると、下地読み動作フラグを０、下地あり情報フラグを０にして（ステップＳ２４）、テープの逆方向送りを開始して（ステップＳ２５）、巻き戻し（ＲＥＷ）状態に遷移する（ステップＳ２６）。
【００６３】
この巻き戻し（ＲＥＷ）状態において停止（ＳＴＯＰ）命令があると、テープ移動を止め、ドラムＯＦＦ、ピンチローラＯＦＦにして（ステップＳ２７）、上記ステップＳ２の停止（ＳＴＯＰ）状態に遷移する。
【００６４】
すなわち、この磁気記録再生装置１００は、停止（ＳＴＯＰ）状態から記録待機（ＲＥＣＰ）状態への遷移時に、下地読みしていない場合には下地読み動作をする。すでに下地読み動作をしている場合には、新たに下地読み動作を行わず、記録待機（ＲＥＣＰ）位置までテープを進める。したがって、下地読み動作をしないので、遷移時間が短くなる。
【００６５】
また、記録（ＲＥＣ）状態から記録待機（ＲＥＣＰ）状態への遷移時には、テープに記録した最終部分は分かっているので、下地読み動作フラグ＝１、下地あり情報フラグ＝１、すなわち、下地読み込み済み、かつ、下地ありにする。
【００６６】
ここで、停止（ＳＴＯＰ）状態から早送り（ＦＦ）状態や巻き戻し（ＲＥＷ）状態に遷移すると、テープ位置がずれてしまうため、読み込み済みの下地データは使用できないので、下地読み動作フラグ＝０、下地あり情報フラグ＝０、すなわち、下地読み動作フラグと下地あり情報フラグをクリアする。
【００６７】
そして、下地読み動作フラグ＝１、下地あり情報フラグ＝０、すなわち、下地読み込み済み、かつ、下地なしの場合には、記録待機（ＲＥＣＰ）状態から記録（ＲＥＣ）状態の遷移時に、下地には関係なく、新しい記録を開始することにより、素早く記録を開始することができ、また、下地読み動作フラグ＝１、下地あり情報フラグ＝１、すなわち、下地読み込み済み、かつ、下地ありの場合には、記録待機（ＲＥＣＰ）状態から記録（ＲＥＣ）状態の遷移時に、先に読み込んである下地につなげて書き戻し記録を行うことにより、素早くつなぎ記録を行うことができる。
【００６８】
ちなみに、この実施の形態において、テープ下地がないというのは、つなぎ記録できる下地がないという意味であり、“下地が無記録”であるか、“下地記録がＨＤＶフォーマットのＨＤ２モード以外”の場合のことである。フォーマットはＨＤＶ，ＤＶの２通りあり、ＨＤＶフォーマットにはＨＤ１モードとＨＤ２モードがある。
【００６９】
ここで、下地情報とつなぎ記録動作の関係を図６に示す。図６は、下地読み動作フラグ、下地があり情報フラグの状態により、上述の図５のフローチャートに示した手順に従ってＳＴＯＰ⇒ＲＥＣＰとＲＥＣＰ⇒ＲＥＣの遷移時に行う動作を表にまとめたものである。
【００７０】
この磁気記録再生装置１００におけるつなぎ記録では、図７に示すように、停止（ＳＴＯＰ）状態を経由しても、すでに読み込み済みの下地データを使用し、下地を読み直さずに、戻し記録を行う。このように、つなぎ記録する場合に、下地読みしないので遷移時間を短くすることができる。
【００７１】
すなわち、図７に示すように、記録待機（ＲＥＣＰ）状態Ａは、上述の図５のフローチャートに示した手順におけるステップＳ１８の記録待機（ＲＥＣＰ）状態であって、このステップＳ１８の記録待機（ＲＥＣＰ）状態Ａから停止（ＳＴＯＰ）状態Ｂを経由（ステップＳ２，Ｓ１０）してステップＳ１１の記録待機（ＲＥＣＰ）状態Ｃに遷移し、さらに、この記録待機（ＲＥＣＰ）状態Ｃから記録（ＲＥＣ）状態に遷移する場合、既にステップＳ４において読み込み済みの下地データがある場合には、この下地データを使用し、下地を読み直さずに、戻し記録を行うことにより、遷移時間を短くすることができる。
【００７２】
図７の（Ａ）に示すように、上述の図５のフローチャートに示した手順におけるステップＳ１５の記録動作（ＲＥＣ）状態において、記録待機（ＲＥＣＰ）命令を受け付けると、上記ステップＳ１６において、その時点での下地の最終ブロックのデータを磁気テープに記録して記録動作を終了し、上記下地の最終ブロックの記録位置をつなぎ記録の開始位置よして記憶するとともに、図７の（Ｂ）に示すように、つなげる画として用いる記録の最後の画である下地最終ブロックのデータをメモリ５０に保持し続ける。その後、磁気テープ２４を３倍速で所定長だけ巻き戻したのち、記録待機（ＲＥＣＰ）状態での待機点まで順方向走行させて、ステップＳ１８の記録待機（ＲＥＣＰ）状態Ａに遷移する。
【００７３】
ここで、記録動作（ＲＥＣ）状態から記録待機（ＲＥＣＰ）に遷移したときの、メモリ５０上のデータの様子を図８に示す。記録動作（ＲＥＣ）状態から記録待機（ＲＥＣＰ）に遷移させる場合、記録終了時には無効データを１バンクとすこし記録する。磁気テープ上と、ＥＣＣバンクメモリ上のデータは一致している。
【００７４】
上記ステップＳ１８の記録待機（ＲＥＣＰ）状態Ａに遷移する際には、ステップＳ１７において、下地読み動作フラグを１、下地あり情報フラグを１にするとともに、記録待機（ＲＥＣＰ）の位置を記憶している。なお、記録待機（ＲＥＣＰ）状態での停止する位置を示す情報としては、例えば、サブコードに書かれているトラックナンバーを使用する。
【００７５】
そして、この磁気記録再生装置１００では、図７の（Ｃ）に示すように、ステップＳ１８の上記記録待機（ＲＥＣＰ）状態Ａから一度ステップＳ２の停止（ＳＴＯＰ）状態Ｂに遷移し、図７の（Ｄ）に示すように、この停止（ＳＴＯＰ）状態ＢからステップＳ１１の記録待機（ＲＥＣＰ）状態Ｂを経由してステップＳ１５の記録（ＲＥＣ）状態に遷移する場合に、例えば既にステップＳ４において読み込み済みの下地データがあるので、この下地データを使用し、下地を読み直さずに、戻し記録を行うことにより、遷移時間を短くすることができる。
【００７６】
ここで、上記記録待機（ＲＥＣＰ）状態Ｂを経由して記録（ＲＥＣ）状態に遷移させた場合に、記録開始する瞬間ぐらいのタイミングにおけるメモリ上のデータの様子を図９に示す。この場合、ＥＣＣ２のバンクから磁気テープに書き込むが、図９中に右上がりの斜線を施して示す２つのＢピクチャのところはそのまま、メモリデータを使用し、その後のＡｕｘデータ、Ａｕｄｉｏデータ、ピクチャーデータは新しいデータを書き込む。
【００７７】
ちなみに、テープを巻き戻してから停止（ＳＴＯＰ）状態Ｂにするのは、次の記録開始動作において、テープを進ませるだけで、記録可能にするためである。戻す量は、順方向走行で記録するまでにテープパスが安定することや、一度ピンチをはずすのでその分テープ位置ずれ量を見込んで、決める。
【００７８】
ここで、停止位置の記憶方法の具体例を図１０に示す。
【００７９】
この具体例では、図１０の（Ａ），（Ｂ）に示すように、上記ステップＳ１８の記録待機（ＲＥＣＰ）状態Ａに遷移する際に、上記ステップＳ１７において、下地読み動作フラグを１、下地あり情報フラグを１にするとともに、記録待機（ＲＥＣＰ）の位置を示すサブコードのトラックナンバーを記憶する。
【００８０】
そして、図１０の（Ｃ）に示すように、上記ステップＳ１８の記録待機（ＲＥＣＰ）状態Ａから停止（ＳＴＯＰ）状態Ｂに遷移する際には、テープを走行させるキャプスタンモータに設けられている周波数発生器（ＦＧ）により発生されるＦＧ信号を利用して、テープ位置を制御し、記録待機（ＲＥＣＰ）の位置から固定ｃｆｇ数分だけ戻した位置でテープを停止させる。
【００８１】
なお、記録一時停止位置などは、サブコードのトラックナンバーを記憶すればよいのであるが、下地がない場合には、下地がないことを覚えておいて、テープを走行させるキャプスタンモータに設けられている周波数発生器（ＦＧ）により発生されるＦＧ信号を利用し、テープ位置を制御し、固定fg数分テープを移動させればよい。
【００８２】
そして、図１０の（Ｄ）に示すように、このステップＳ１８の記録待機（ＲＥＣＰ）状態Ａから停止（ＳＴＯＰ）状態Ｂを経由（ステップＳ２，Ｓ１０）してステップＳ１１の記録待機（ＲＥＣＰ）状態Ｃに遷移する際には、下地ありの場合、サブコードのトラックナンバーで示される記録待機（ＲＥＣＰ）の位置までテープを進め、さらに、この記録待機（ＲＥＣＰ）状態Ｃから記録（ＲＥＣ）状態に遷移する場合、既にステップＳ４において読み込み済みの下地データがある場合には、この下地データを使用し、下地を読み直さずに、目標トラックすなわち上記ステップＳ１６において記憶したつなぎ記録の開始位置から戻し記録を行うことにより、遷移時間を短くすることができる。
【００８３】
ここで、上述の実施の形態では、磁気記録再生装置１００、主にテープ記録について説明したが、ハードディスクやＤＶＤディスクなどのランダムアクセスできる回転メディアを使用した場合にも本発明を適用できる。
【００８４】
具体的には、記録待機状態が長く続いたらつぎの開始位置を記憶し、メディアの駆動を停止する。その状態から記録の操作をされたら、メディアを駆動し、記憶していた場所から新しい記録を開始する。これにより、停止状態からの、カメラ画のつなぎ記録を素早く行える。
【００８５】
ちなみに、下地がないところから新しい記録を始める時の待ち時間も同様に短縮される。
【００８６】
また、例えば、つなぎ記録はしなくても良いから素早く記録するという、“クイックＲｅｃ機能”のある機器に適用してもよい。
【００８７】
クイックＲＥＣ機能は、例えばユーザがメニューによりＯｎ/Ｏｆｆ設定可能であり、Ｏｆｆの場合は、記録開始時にはなるべく下地につなげて記録を行う。Ｏｎの場合は、記録開始までのレスポンスを優先する。従来技術ではＳＴＯＰからのつなぎ記録に時間がかかっていたので、このクイックＲＥＣ機能の効果が大きい。しかしながら、つなぎ記録はできない。
【００８８】
このように“クイックＲＥＣ機能”のある機器に適用した場合、例えば図１１に示すように、クイックＲＥＣ  Ｏｆｆの場合は、上述の実施の形態と同じであるが、クイックＲＥＣ  Ｏｎの場合は、ＳＴＯＰ⇒ＲＥＣＰ遷移において、下地読み込み済みの場合、記録待機（ＲＥＣＰ）点まで移動するだけなので、遷移時間が短い。また、下地がある場合には、つなぎ記録が実現できる。下地読み込みしていない場合は、記録待機（ＲＥＣＰ）点まで移動して、あたらしい記録を開始する。
【００８９】
また、図１２に示すように、記録信号処理部１０の符号化器１３，１４の前段に遅延メモリ１９Ａ，１９Ｂを備える磁気記録再生装置２００では、画像と音声のベースバンド信号を遅延することで、ユーザが記録開始指示した瞬間からとか、それより以前の画からの記録ができる。この遅延メモリ１９Ａ，１９Ｂを備える磁気記録再生装置２００に本発明を適用すれば、停止（ＳＴＯＰ）状態からのつなぎ記録遷移時間が短縮できるので、遅延メモリ容量を小さくすることができたり、同一容量のメモリでも、より以前の画から記録ができるようになる。
【００９０】
なお、図１２に示した磁気記録再生装置２００において、上述の図１に示した磁気記録再生装置１００と同一の構成要素については、図１２中に同一番号を付し、その詳細な説明を省略する。
【００９１】
また、磁気記録再生装置２００において、遅延メモリ１９Ａ，１９Ｂの位置を符号化器１３，１４の後ろにしてもよい。データ圧縮後なので、メモリ容量は前者の例に比べると削減できる。
【００９２】
また、ＲＥＣＰ（ＲＥＣ）⇒ＳＴＯＰ⇒ＲＥＣＰ⇒ＲＥＣの遷移について説明したが、例えばＰＢ⇒ＳＴＯＰ後の記録やＰＢＰ⇒ＳＴＯＰ後の記録に関しても同じように本発明を適用可能である。ユーザが確認した最後の画につなげて、または、その画を上書きして、つなぎ記録するように、下地最終ブロックを記憶しつつテープの頭出し等を行えばよい。するとＰＢ（ＰＢＰ）⇒Ｓｔｏｐ遷移後の、カメラ画つなぎ記録が迅速に行える。
【００９３】
さらに、ＦＦ⇒ＳＴＯＰやＲＥＷ⇒ＳＴＯＰ遷移のときにも同じように下地を読んでから停止（ＳＴＯＰ）状態になるようにして、その後の記録は記憶した下地につなげるようにすれば、記録開始が素早くできる。
【００９４】
上述の如き機能は、ソフトウエアのプログラム変更で実現可能であり、システムの変更や追加部品の必要がなく、低コストかつ低消費電力で実現可能である。
【００９５】
なお、再生（ＰＢ）後の停止（ＳＴＯＰ）状態経由のつなぎ記録の高速化も、同等技術の適用で実現できる。ＰＢ⇒ＳＴＯＰ後のつなぎ記録開始も早くなるメリットがある。
【００９６】
図１３にその時の動作を示す。ＲＥＣＰ後のＳＴＯＰ経由のつなぎ記録と同様に、下地データを記憶しておくことで、記録開始を素早く行えるようになる。ただし、システムディレイにより、ユーザが見ている再生画の最後の画の直後からつなぎ記録できるわけではなく、すこし後ろからのつなぎ記録となる。しかしながら、ユーザが確認した最後の画は残るので、問題はない。
【図面の簡単な説明】
【００９７】
【図１】本発明を適用した磁気記録再生装置の構成を示すブロック図である。
【図２】上記磁気記録再生装置における記録定常動作中のあるタイミングにおけるメモリ上のデータの様子を模式的示す図である。
【図３】上記磁気記録再生装置における再生定常動作中のあるタイミングにおけるメモリ上のデータの様子を模式的示す図である。
【図４】上記磁気記録再生装置の動作のモード遷移を模式的に示す図である。
【図５】上記磁気記録再生装置の動作を示すフローチャートである。
【図６】上記磁気記録再生装置における下地情報とつなぎ記録の関係を示す図である。
【図７】上記磁気記録再生装置における停止（ＳＴＯＰ）状態を経由したつなぎ記録の動作を模式的に示す図である。
【図８】上記磁気記録再生装置において、記録動作（ＲＥＣ）状態から記録待機（ＲＥＣＰ）に遷移したときの、メモリ上のデータの様子を模式的に示す図である。
【図９】上記磁気記録再生装置において、上記記録待機（ＲＥＣＰ）状態Ｂを経由して記録（ＲＥＣ）状態に遷移したときの、メモリ上のデータの様子を模式的に示す図である。
【図１０】上記磁気記録再生装置においてつなぎ記録を行う場合の停止位置の記憶方法の具体例を示す図である。
【図１１】本発明を“クイックＲＥＣ機能”のある機器に適用した場合を示す図である。
【図１２】本発明を適用した磁気記録再生装置の他の構成例を示すブロック図である。
【図１３】本発明に係る磁気記録再生装置において、再生（ＰＢ）後の停止（ＳＴＯＰ）状態経由のつなぎ記録を行う動作を模式的に示す図である。
【図１４】従来の手法によるつなぎ記録の動作手順を示すフローチャートである。
【図１５】従来の手法によるつなぎ記録の動作を模式的に示す図である。
【符号の説明】
【００９８】
１  カメラ、２  マイクロホン、１０  記録信号処理部、１１，１２  Ａ／Ｄ変換器、１３，１４  符号化処理部、１５  ＭＵＸ、１６  ＥＣＣ処理部、１７  Ｄ／Ａ変換器、１８  記録増幅器、１９Ａ，１９Ｂ  遅延メモリ、２０  記録再生部、２１Ａ，２１Ｂ  ２２  回転ドラム、２３  ドラムモータ、２４  磁気テープ、２５  キャプスタンモータ、３０  再生信号処理部、３１  再生増幅器、３２  Ａ／Ｄ変換器、３３  ＥＣＣ処理部、３４  ＤＥＭＵＸ、３５，３６  復号化処理部、３７，３８  Ｄ／Ａ変換器、４０  制御部、５０  メモリ、６０  操作部、１００，２００  磁気記録再生装置
【図１】
2007157263.tif 000003
【図２】
2007157263.tif 000004
【図３】
2007157263.tif 000005
【図４】
2007157263.tif 000006
【図５】
2007157263.tif 000007
【図６】
2007157263.tif 000008
【図７】
2007157263.tif 000009
【図８】
2007157263.tif 000010
【図９】
2007157263.tif 000011
【図１０】
2007157263.tif 000012
【図１１】
2007157263.tif 000013
【図１２】
2007157263.tif 000014
【図１３】
2007157263.tif 000015
【図１４】
2007157263.tif 000016
【図１５】
2007157263.tif 000017